(57)【要約】  本発明はＦＭＣ網およびＦＭＣ網における呼処理方法に関する。ＦＭＣのＵＥごとに少なくとも２つの網（１次網および２次網）、例えば移動通信網および無線コネクション機能を有する固定通信網で登録が保持される。１次網はＦＭＣのＵＥに割り当てられた加入者番号を保持する。ＦＭＣのＵＥへの呼はまず１次網へルーティングされ、ＵＥが１次網内に存在しない場合、２次網へルーティングされる。有利にはＦＭＣ網は既存の固定通信網および移動通信網においてその一方をもう一方へ組み込むことなく実現可能である。
2008515282.tif 000002
【特許請求の範囲】
【請求項１】
第１の通信網および第２の通信網を有しており、第２の通信網はブロードバンド網、該ブロードバンド網に結合されたＩＭＳバンドルとしてのＩＭＳ（Internet Protocol Multimedia Subsystem）、および、該ブロードバンド網へ無線コネクトする無線データコネクション機能を有しており、前記ＩＭＳはＦＭＣ加入者番号のブロックを有する特別ルーティングテーブルを含み、
少なくとも１つのＵＥ（User Equipment）にＦＭＣ加入者番号の１つである単一ディレクトリ番号（ＤＮ）が割り当てられており、少なくとも１つのＵＥが前記第１の通信網およびディレクトリ番号によって識別される前記ブロードバンド網の双方と無線通信する
ことを特徴とするＦＭＣ（Fixed-Mobile Convergence）網。
【請求項２】
ＩＭＳは、ＦＭＣ加入者番号のブロックを保持するＨＳＳ（Home Subscriber Server）、ＳＩＰ‐ＡＳ（Session Initiation Protocol Application Server）を含む複数のＡＳ（Application Server）、ＨＳＳへのインタフェースおよび少なくとも１つのＵＥからのインタフェースを有するＣＳＣＦ（Call Session Control Function）、ＦＭＣ網ひいては公共網へのインタフェースを有するＭＧＣＦ（Media Gateway Control Function）、および、ＭＰＳＩＰ（Multi-Point SIP）による複数のＡＳおよびＣＳＣＦへのインタフェースを有しメディアに関する機能を実行するＭＲＦＰ（Multimedia Resource Function Processor）を有する、請求項１記載のＦＭＣ網。
【請求項３】
ＣＳＣＦは、少なくとも１つのＵＥに通信網エントリポイントを与えるＰ‐ＣＳＣＦ（Proxy CSCF）、ＨＳＳへのインタフェースを有するＩ‐ＣＳＣＦ（Interrogating CSCF）、および、少なくとも１つのＵＥの登録およびセッション管理を行うＳ‐ＣＳＣＦ（Serving CSCF）を有する、請求項２記載のＦＭＣ網。
【請求項４】
ＭＧＣＦは、公共網のシグナリング平面へのインタフェースを有するシグナリングゲートウェイと、公共網のメディア平面へのインタフェースを有するメディアゲートウェイとを有する、請求項２記載のＦＭＣ網。
【請求項５】
第１の通信網はセルラー通信網であり、少なくとも１つのＵＥは該セルラー通信網へコネクトする移動電話機能とブロードバンド網へコネクトする無線データコネクション機能とを含むデュアルモードハンドセットである、請求項１記載のＦＭＣ網。
【請求項６】
無線データコネクション機能はＢｌｕｅｔｏｏｔｈおよびＷｉＦｉを含むグループから選択される、請求項１記載のＦＭＣ網。
【請求項７】
少なくとも２つの通信網を含むＦＭＣ（Fixed-Mobile Convergence）網において、
第１の通信網が、割り当てられたＦＭＣ加入者番号の１つである単一ディレクトリ番号（ＤＮ）に応じてＦＭＣ網内の通信網と無線通信する１つまたは複数のＵＥ（User Equipment）、ＦＭＣ加入者番号のブロックを有する特別ルーティングテーブルを保持するＨＳＳ（Home Subscriber Server）、各ＵＥに到来した呼をルーティングにより受け取るＳＩＰ‐ＡＳ（Session Initiation Protocol Application Server）、ＨＳＳへのインタフェースおよびＵＥからのインタフェースを有するＣＳＣＦ（Call Session Control Function）、および、ＦＭＣ網ひいては公共網へのインタフェースを有するＭＧＣＦ（Media Gateway Control Function）を有する
ことを特徴とするＦＭＣ網。
【請求項８】
ＳＩＰ‐ＡＳは複数のＡＳ（Application Server）の１つである、請求項７記載のＦＭＣ網。
【請求項９】
さらに、ＭＰＳＩＰ（Multi-Point SIP）により複数のＡＳおよびＣＳＣＦへのインタフェースを有するＭＲＦＰ（Multimedia Resource Function Processor）を有する、請求項８記載のＦＭＣ網。
【請求項１０】
ＣＳＣＦは、各ＵＥに通信網エントリポイントを与えるＰ‐ＣＳＣＦ（Proxy CSCF）、ＨＳＳへのインタフェースを有するＩ‐ＣＳＣＦ（Interrogating CSCF）、および、各ＵＥの登録およびセッション管理を行うＳ‐ＣＳＣＦ（Serving CSCF）を有する、請求項７記載のＦＭＣ網。
【請求項１１】
ＭＧＣＦは、公共網のシグナリング平面へのインタフェースを有するシグナリングゲートウェイと、公共網のメディア平面へのインタフェースを有するメディアゲートウェイとを有する、請求項７記載のＦＭＣ網。
【請求項１２】
第１の通信網は固定通信網であり、ブロードバンド網に結合されたＩＭＳバンドルとしてのＩＭＳ（Internet Protocol Multimedia Subsystem）を含む、請求項７記載のＦＭＣ網。
【請求項１３】
各ＵＥは固定通信網内のブロードバンド網に無線コネクトする、請求項１２記載のＦＭＣ網。
【請求項１４】
第２の通信網は移動通信網であり、少なくとも１つのＵＥは該移動通信網へコネクトする移動電話機能とブロードバンド網へコネクトする無線データコネクション機能とを含むデュアルモードハンドセットである、請求項１３記載のＦＭＣ網。
【請求項１５】
無線データコネクション機能はＢｌｕｅｔｏｏｔｈおよびＷｉＦｉを含むグループから選択される、請求項１４記載のＦＭＣ網。
【請求項１６】
少なくとも１つの加入者のユーザ機器ＵＥに単一ダイアル可能ディレクトリ番号が割り当てられているＦＭＣ（Fixed-Mobile Convergence）網環境における通信を支援する方法において、
第１の通信網内のＵＥに到来する呼要求を受信するステップ、
第１の通信網内のＵＥの利用可能性を確認し、第１の通信網においてＵＥが利用可能であるときはつねに到来した呼にコネクトするステップ、または、
到来した呼に第２の通信網内のＵＥを指名するルーティング番号を割り当てるステップ、および
到来した呼を第２の通信網内のＵＥへ転送するステップ
を有する
ことを特徴とするＦＭＣ網環境における通信を支援する方法。
【請求項１７】
第１の通信網はＵＥの１次ホームネットワークである、請求項１６記載の方法。
【請求項１８】
ＵＥの利用可能性または利用不能性を示す加入者機登録情報を第１の通信網で保持する、請求項１７記載の方法。
【請求項１９】
利用可能性は加入者機の選択またはＵＥが第１の通信網内に存在していることを表す、請求項１６記載の方法。
【請求項２０】
利用不能性は加入者機の選択またはＵＥが第１の通信網内に存在していないことを表す、請求項１６記載の方法。
【請求項２１】
単一ダイアル可能ディレクトリ番号は第１の通信網に属する、請求項１６記載の方法。
【請求項２２】
第１の通信網は固定通信網であり、第２の通信網は移動通信網である、請求項１６記載の方法。
【請求項２３】
ＵＥは無線ＬＡＮを介して固定網へ、またはＢｌｕｅｔｏｏｔｈを介してブロードバンド網へアクセスする、請求項２２記載の方法。
【請求項２４】
ＵＥはＧＳＭ，ＵＭＴＳ，ＥＤＧＥ，ＣＤＭＡを含むグループから選択されたプロトコルにより無線網へアクセスする、請求項２２記載の方法。
【請求項２５】
移動通信網はＵＥの２次ホームネットワークである、請求項２２記載の方法。
【請求項２６】
さらに、移動通信網のＨＬＲおよび固定通信網のＨＳＳに各ＵＥを登録するステップを有する、請求項２２記載の方法。
【請求項２７】
ＵＥに対して移動通信網に属するＩＭＳＩおよび／またはＭＩＮを割り当てる、請求項２６記載の方法。
【請求項２８】
ルーティング番号は番号ポータビリティのためのＬＲＮ（Location Routing Number）である、請求項１６記載の方法。
【請求項２９】
到来した呼を第２の通信網へ転送するステップにおいて、ＬＲＮをＣｄＰＮ（Called Party Number）として使用し、単一ダイアル可能ディレクトリ番号を呼の転送の際に運搬する、請求項２８記載の方法。
【請求項３０】
番号ポータビリティのために定義された取り決めを用いて番号を運搬する、請求項２９記載の方法。
【請求項３１】
取り決めとしてＩＳＵＰＧＡＰ（ISUP Generic Address Parameter）を使用する、請求項３０記載の方法。
【請求項３２】
第２の通信網のＵＥは、到来した呼を、番号ポータビリティの要求にしたがって、第２の通信網へ運搬された番号を有する移動局に到来した呼と同様に扱う、請求項３０記載の方法。
【請求項３３】
第２の通信網内のＵＥの存在を確認し、到来した呼を第２の通信網へ転送する、請求項１６記載の方法。
【請求項３４】
第３の通信網内のＵＥの存在を確認し、到来した呼を第３の通信網へ転送する、請求項１６記載の方法。
【請求項３５】
第１の通信網は固定通信網であり、第２の通信網は第１の移動通信網であり、第３の通信網は第１の移動通信網とは異なる第２の移動通信網である、請求項３４記載の方法。
【請求項３６】
単一ダイアル可能ディレクトリ番号をＵＥの移動通信網番号として扱う、請求項２４記載の方法。
【請求項３７】
確認ステップおよび／または転送ステップにおいてＳＩＰを用いる、請求項２３記載の方法。
【請求項３８】
確認ステップおよび／または転送ステップにおいてＤｉａｍｅｔｅｒプロトコルインタフェースを用いる、請求項２３記載の方法。
【請求項３９】
第１の通信網は移動通信網であり、第２の通信網は固定通信網である、請求項１６記載の方法。
【請求項４０】
ＵＥはＧＳＭ，ＵＭＴＳ，ＥＤＧＥ，ＣＤＭＡを含むグループから選択されたプロトコルにより無線網へアクセスする、請求項３８記載の方法。
【請求項４１】
加入者機は、無線ＬＡＮまたはＢｌｕｅｔｏｏｔｈのいずれかであるブロードバンドへの無線コネクションを介して固定通信網へアクセスする、請求項３８記載の方法。
【請求項４２】
第１の通信網は第１の固定通信網であり、第２の通信網は第１の固定通信網とは異なる第２の固定通信網である、請求項１６記載の方法。
【請求項４３】
第１の通信網は第１の移動通信網であり、第２の通信網は第１の移動通信網とは異なる第２の移動通信網である、請求項１６記載の方法。
【請求項４４】
到来した呼は第１の通信網の外から発信されたものである、請求項１６記載の方法。
【請求項４５】
到来した呼は第１の通信網内で発信されたものである、請求項１６記載の方法。
【請求項４６】
番号ポータビリティを用いて到来した呼を運搬する、請求項２９記載の方法。
【請求項４７】
単一ダイアル可能ディレクトリ番号は運搬された番号である、請求項１６記載の方法。
【発明の詳細な説明】
【技術分野】
【０００１】
関連出願へのクロスリファレンス
本発明の内容は2004年9月22日付米国仮出願第６０／６１２１０７号明細書Felipe Alvarez Del Pino et al., "Pseudo Number Portability in Fixed-Mobile Convergence with One Number"の内容に関連し、当該明細書を本明細書の参考文献とする。
【０００２】
発明の背景
発明の属する技術分野
本発明は通信システムに関する。より詳細に云えば、本発明は固定移動融合通信ＦＭＣ（Fixed-Mobile Convergence）および通信網間のローミング中に通信を保持する方法に関する。
【０００３】
背景の説明
デュアルモードハンドセットは従来のＧＳＭ／ＣＤＭＡ移動サービスおよびＷｉＦｉなどのデータ網への無線コネクトに対するものとしてよく知られている。こうしたタイプのデュアルモードハンドセットはＦＭＣとして知られる新たな技術分野を拓いた。ＦＭＣ加入者はＵＥ（User Equipment）としてのデュアルモードハンドセットを用いて２つの異なるタイプのネットワーク、すなわち固定網および移動網にわたってローミングすることができる。ただし、既存のネットワークを修正する単純な方法では、２つの番号、すなわち２つの公開番号または１つの公開番号および１つの隠し番号の２つが必要である。理想的にはＦＭＣ加入者はどちらのネットワークに対しても共通の単一ディレクトリ番号ＤＮを有することが望ましい。ＦＭＣ環境で１つの番号により異なるタイプの２つのネットワークにわたって加入者がローミングできるようにするローミング手段に対して、種々の手法が存在する。
【０００４】
そのアプローチの１つに、移動網を修正して、そこに移動網へのインタフェースを備えた固定網を組み込む手法がある。インタフェースは固定網を移動網に対する無線アクセス網ＲＡＮとして扱う。このアプローチは、固定網にとっては衝撃的であるが、移動網にとってはＵＭＡＣ（Unlicensed Mobile Access Consortium）および３ＧＰＰ（3rd Generation Partnerschip Project）のコンセプトを用いているので衝撃が小さい。また別のアプローチとして、移動網へのＭＳＣ（Mobile services Switching Center）インタフェースを固定網に与えてこれを拡張コアネットワークＣＮとして扱うことにより、固定網を移動網に組み込むことが挙げられる。これらのアプローチはいずれもＦＭＣ加入者機の位置を既存の移動網におけるロケーション管理機能によって特定するのであり、固定網を移動網に組み込まなければならない。
【０００５】
残念なことに、同じベンダまたはサービスプロバイダが２つのネットワークの双方を所有していても、固定網を移動網へ組み込むには複雑なアーキテクチャが必要であり、困難で時間も費用もかかる。こうした統合型ネットワークをゼロから造り上げることもきわめて困難であるが、設計時に統合を意識しておらず互換性のない既存の固定網および移動網を統合することはほとんど不可能である。
【０００６】
したがってＦＭＣのために固定網および移動網を統合する必要のない通信システムが要求されている。より詳細に云えば、ＦＭＣでは加入者機が割り当てられた単一番号で固定網および移動網の双方を個別に利用できるようにすることが望ましい。
【０００７】
発明の概要
よって本発明の課題は、ネットワークのタイプの相違に関係なく、異なるタイプの２つのネットワークにわたるローミングを簡単化することである。
【０００８】
また本発明の課題は、個々の固定網または移動網を介した通信コネクションをＵＥで保持できるようにすることである。
【０００９】
また本発明の課題は、加入者機が固定網または移動網のいずれを介してアクセスするかに関わらず、加入者に対して効率的な単一番号アクセスを可能にすることである。
【００１０】
また本発明の課題は、既存の固定網および既存の移動網へのインパクトなしにこれらのあいだで自由にローミングできるよう、単一番号でのＦＭＣを可能にすることである。
【００１１】
さらに本発明の課題は、ネットワークのタイプの相違に関係なく２つの異なるネットワークを融合して利用できるローミング手段を提供することである。
【００１２】
本発明の第１の手段はＦＭＣ、特にＦＭＣ網およびＦＭＣ網における呼処理方法に関する。ＦＭＣではＵＥに対する登録は、１次網および２次網の少なくとも２つのネットワークすなわち移動網および固定網で無線コネクション機能により保持される。１次網はＦＭＣの各ＵＥに割り当てられた加入者番号を保持している。ＦＭＣのＵＥへの呼はまず１次網へルーティングされ、１次網内にＵＥが存在しない場合、２次網へ転送される。有利には、ＦＭＣ網は、既存の固定網および移動網により、一方を他方へ組み込む必要なしに実現される。
【００１３】
本発明の第２の手段によれば、ＦＭＣ加入者のディレクトリ番号ＤＮはもともと固定網のオペレータに割り当てられ所有されているプールから割り当てられる。この意味で固定網は加入者の一次ホームネットワークと考えることができる。加入者番号は固定網および移動網のレジスタの双方に用意され、加入者のディレクトリ番号ＤＮはＧＳＭまたはＵＭＴＳに対するＭＳＩＳＤＮ（Mobile Station International ISDN Number）またはＣＤＭＡまたはＴＤＭＡに対するＭＤＮ（Mobile Directory Number）でありうる。また、有利な実施形態によれば、ディレクトリ番号ＤＮは公共のＮＰＤＢ（Number Portability Database）ではなく固定網内部の特別ルーティングテーブルに用意され、これを内部ＮＰＤＢと考えることもできる。このテーブルは移動網すなわち加入者のＨＰＬＭＮ（Home Public Land Mobile Network）によって所有されるＬＲＮ（Location Routing Number）に相応する加入者番号のブロックを含む。移動網ＨＰＬＭＮは加入者の２次ホームネットワークと考えることができる。加入者番号の所有権により、ＦＭＣ加入者への着呼が固定網へルーティングされることが保証される。
【００１４】
本発明の第３の手段によれば、固定網内の既存のアプリケーションサーバに新たなアプリケーションが導入される。到来した呼、有利には固定網の内部または外部から受信された呼に応じて、新たなアプリケーションにより加入者の現在のステータスが判別される。加入者機が固定網内で利用可能である場合、呼は処理されて固定網内のＵＥへ終端される。加入者機が固定網内では利用不能であって、移動網内でローミングしている場合、呼は内部の特別ルーティングテーブルへのクエリから返送されてきたＬＲＮを用いて加入者のＨＰＬＭＮへルーティングされる。これには番号ポータビリティと類似の手法を利用することができる。例として、ANS(American National Standard), T1.708-1998 (R2003), "PCS1900 Service Provider Number Portability"に記載されている番号ポータビリティの方法を挙げておく。このようにディレクトリ番号ＤＮは、一時的に条件に応じて、ＭＳＩＳＤＮとしてＨＰＬＭＮへ運搬されると見なされる。本発明の有利な実施形態では、もともと呼に利用されていた加入者のディレクトリ番号を固定網へ運搬し、ＬＲＮにしたがって固定網内の加入者機を識別することができる。前掲のANS, T1.708-1998 (R2003)に記載された手法によれば、もとのディレクトリ番号がＩＳＵＰＧＰ（ISUP Generic Parameter）として運搬される。
【００１５】
図面の簡単な説明
本発明の課題、特徴および利点のさらなる理解を得るため、本発明を図示の有利な実施例に則して以下に説明する。図１には本発明の有利な実施例によるＦＭＣ網のアーキテクチャが示されている。図２には本発明の有利な実施例によるＩＭＳホームネットワーク内のＦＭＣ加入者機へのＭＴ呼の呼出しフローが示されている。図３には本発明の有利な実施例によるＧＳＭ網内でローミングしているＦＭＣ加入者機へのＭＴ呼の呼出しフローが示されている。
【００１６】
有利な実施例の説明
図を参照されたい。図１には、本発明のＦＭＣ通信網の有利な実施例が示されている。有利にＦＭＣ通信に適するように構成された加入者機には、それぞれネットワーク間のローミング、すなわち固定網１００および移動網１０２にわたるローミングの際にもシームレスにコネクトできるようにする単一ディレクトリ番号ＤＮが割り当てられている。固定網１００は例えばブロードバンドサービスのバンドル製品の一部である無線機能を含む。ここでのブロードバンドサービスはＶｏＩＰ（Voice over Internet Protocol）を備えたＩＥＥＥ８０２．１１ｂ（ＷｉＦｉ）、またはＡＤＳＬ（Asymmetric Digital Subscriber Line）を介したＷｉＦｉ／ＶｏＩＰを含む。固定網１００および移動網１０２は相互にＰＴＳＮ（Public Switched Telephone Network）／ＰＬＭＮ（Public Land Mobile Network）１０４を介してリンクしている。有利には固定網１００はシームレス動作のために移動網１０２のカバーエリア内に位置している。加入者は擬似番号の割り当てられたＵＥ１０６を有する。ＵＥ１０６は固定網１００にコネクトできないときにはつねに移動網１０２へシームレスにコネクトし、利用可能になると、呼を対応する擬似番号へ適切にルーティングすることにより、固定網１００へシームレスに再コネクトする。
【００１７】
デフォルトのコネクションはＦＭＣ加入者の１次ホームネットワーク、有利には固定網１００を介して行われる。固定網１００は加入者番号の専用ブロックに擬似番号のプールを有している。各ＦＭＣ加入者には当該のプールから擬似番号が割り当てられる。ＦＭＣ加入者の擬似番号への呼は、移動網１０２から発信された呼ＭＯを含めて、まず固定網１００へルーティングされる。ホームネットワークは当該のＵＥ１０６が固定網１００内で利用不能であるときはつねに擬似番号への呼を移動網１０２へルーティングする。
【００１８】
固定網１００はＩＥＥＥ８０２．１１ｂ（ＷＬＡＮまたはＷｉＦｉ）またはＢｌｕｅｔｏｏｔｈコネクションを介した固定回線ブロードバンド１０８に対する無線コネクション機能を含む。例えば固定網１００はレジデンシャルゲートウェイを備えた居宅内に存在し、レジデンシャルゲートウェイは固定回線ブロードバンド１０８に対する統合ＡＤＳＬモデムを含む。ルータ１０９は固定回線ブロードバンド１０８を典型的なＩＰＩＭＳ（Internet Protocol Multimedia Subsystem）またはＩＭＳバンドルの一部である統合ＷｉＦｉ基地局へコネクトする。ＩＭＳはマルチメディア情報、例えば音声およびデータを公共網すなわちＰＳＴＮ／ＰＬＭＮ１０４へインタフェースする。
【００１９】
ＩＭＳアプリケーション層はＨＳＳ（Home Subscriber Server）１１０およびアプリケーションサーバＡＳ１１２を含む。ＡＳ１１２は例えば音声フィーチャサーバ１１４、ＳＩＰ‐ＡＳ（Session Initiation Protocol Application Server）１１６およびＩＭＣサーバ（Internet Mail Consortium server）１１８を有する。ＳＩＰ‐ＡＳ１１６はDxDiameterプロトコルインタフェースによりＨＳＳ１１０へインタフェースしており、これによりＩＭＳ網へインテリジェントサービスまたはアプリケーションが提供される。この実施例では、ＡＳ１１２はＩＳＣ‐ＳＩＰ（IMS Service Control SIP）を介してＩＭＳセッション管理層にインタフェースしている。
【００２０】
ＩＭＳセッション管理層はＣＳＣＦ（Call Session Control Function）１２０を含む。ＣＳＣＦ１２０は各ＵＥ１０６にＩＭＳへのエントリポイントを与えるＰ‐ＣＳＣＦ（Proxy-CSCF）、CxDiameterプロトコルインタフェースによりＨＳＳ１１０へインタフェースするＩ‐ＣＳＣＦ（Interrogating-CSCF）、および、ＵＥ１０６の登録に対するＩＭＳのセッション制御エンティティとしてCxDiameterプロトコルインタフェースによりＨＳＳ１１０へインタフェースするＳ‐ＣＳＣＦ（Serving-CSCF）を含む。ＢＧＣＦ（Breakout Gateway Control Function）はＣＳＣＦ１２０と共存してもよいし、スタンドアロンモジュールとして存在してもよい。ＢＧＣＦは、ＭＧＣＦ（Media Gateway Control Function）１２４によって制御されるＭＧＷ（Media Gateway）１２２を介して選択的に呼をＰＳＴＮ／ＰＬＭＮ１０４へ回送する。ＩＭＳ網はＭＧＣＦ１２４内のＳＧＷ（Signaling GateWay）によりＰＳＴＮ／ＰＬＭＮ１０４へシグナリング平面でインタフェースしており、ＭＧＷ１２２によりメディア平面でインタフェースしている。ＭＲＦＰ（Multimedia Resource Function Processor）１２６は呼処理およびメディア関連機能を実行する。ＭＲＦＰ１２６はＭＰＳＩＰ（Multi-Point SIP）によりＡＳ１１２およびＣＳＣＦ１２０にインタフェースしている。
【００２１】
固定網１００内ではＨＳＳ１１０がＩＭＳ網に対する加入者機レジスタとして機能し、移動網１０２例えばＧＳＭではＨＬＲ（Home Location Register）１４２がＦＭＣ加入者番号を備えた加入者機レジスタとして機能する。移動網１０２では、ＨＬＲ１４２に加入者番号がＭＳＩＳＤＮ（Mobile Station International ISDN）として用意されている。ＨＳＳ１１０は付加的なＭＡＰ（Mobile Application Part）によりＨＬＲ１４２にインタフェースしている。これに代えて、ＨＳＳ１１０が充分な能力を有するのであれば、固定網１００および移動網１０２の双方に対する唯一の加入者機レジスタとして機能させてもよい。付加的に、ＩＭＳ網はＧＧＳＮ１３２を介してＲＡＮ１３０にコネクトする。有利には、デュアルモードハンドセットであるＵＥ１０６は、移動網１０２内でローミングしていても、ＲＡＮ１３０を介してＣＳＣＦ１２０へコネクトしたままとなる。
【００２２】
有利には、システム番号すなわちＤＮおよび／またはＭＳＩＳＤＮは公共のＮＰＤＢ（Number Portability Database）には用意されない。これに代えて、ＨＳＳ１１０に図示されない内部の特別ルーティングテーブルが設けられ、ここにシステム番号が用意される。当該の特別ルーティングテーブルは各ＬＲＮに相応する加入者番号のブロックに擬似番号を有する。移動網内の各加入者機のＨＰＬＭＮは加入者機に対するＬＲＮを所有し、固定網１００へ番号を運搬する。このことについては後に詳述する。ＨＰＬＭＮは融合されたネットワーク１００，１０２に対する加入者の２次ホームネットワークとして機能する。したがって特別ルーティングテーブルは固定網１００内で見出されたＵＥ１０６へ呼をルーティングするために標準番号ポータビリティをシミュレートする。ＵＥ１０６が固定網１００において利用可能でない場合、呼はＬＲＮを用いて移動網１０２へルーティングされる。適切な標準番号ポータビリティの例についてはAmerican National Standard(ANS), T1.708-1998(R2003), "PCS1900 Service Provider Number Portability"に記載されている。
【００２３】
ＳＩＰ‐ＡＳ１１６はユーザのホームネットワークまたはサードパーティネットワークロケーションに常駐するきわめてフレキシブルかつダイナミックなネットワークエレメントである。特に固定網にＳＩＰ‐ＡＳ１１６を含めることにより、ＩＭＳサービスが固定網１００で利用可能となり、新たなフィーチャ、サービスおよびアプリケーションの開発に対して効率が大きく向上するという付加価値が得られる。したがって有利には、ＳＩＰ‐ＡＳ１１６は固定網１００に対するフィーチャサーバであり、固定網１００は到来した呼をＳＩＰ‐ＡＳ１１６のフィーチャサーバへルーティングする。この実施例では、ＳＩＰ‐ＡＳ１１６のフィーチャサーバは呼期間が完了するまで呼路にとどまる。またＳＩＰ‐ＡＳ１１６のフィーチャサーバは受信した呼をイベントトリガの際、例えばローミングの支援機能をトリガする際に制御する。
【００２４】
ホームネットワークまたは他のネットワークから発信された呼が受信されると、ＳＩＰ‐ＡＳ１１６のフィーチャサーバは加入者機の現在の登録ステータスを識別する。ＣＳＣＦ１２０内のＳ‐ＣＳＣＦはＨＳＳ１１０から位置をクエリし、ＩＮＶＩＴＥに含まれる現在の登録ステータス情報をＳＩＰ‐ＡＳ１１６へ供給する。呼び出されたパーティのＵＥ１０６の現在位置が固定網１００内にあるときには、呼はＣＳＣＦ１２０内のＳ‐ＣＳＣＦへ戻され、そこで処理され、固定網内のＵＥ１０６へ回送される。そうでなければＵＥ１０６は移動網１０２内でローミングしている。したがってＵＥ１０６の現在位置は固定網１００内にはない。
【００２５】
相応に、ＵＥ１０６が移動網１０２内でローミングしているときはつねにフィーチャサーバが特別ルーティングテーブルにクエリし、ＭＧＣＦ１２４を介して返送されたＬＲＮを用いて、呼を加入者機のＧＳＭＨＰＬＭＮへルーティングする。移動網１０２へルーティングされた呼に対して、ＩＮＶＩＴＥは要求ＵＲＬを含み、ルーティング番号フィールドすなわち"ｒｎ"フィールドにＬＲＮを有し、番号ポータビリティデータベースインジケータに"イエス"を有する（つまり"ｎｐｄｉ"が"ｙｅｓ"へセットされている）。ＩＮＶＩＴＥメッセージは相応にＭＧＣＦ１２４においてＩＳＵＰＩＡＭ（Integrated Service digital network User Part Initial Address Message）へ翻訳される。特に、ＣｄＰＮ（Called Party Number）パラメータにはルーティング番号から変換されたＩＳＵＰフォーマット番号が含まれる。ＧＡＰ（Generic Address Parameter）はＩＮＶＩＴＥメッセージ内のｔｅｌＵＲＬ（tel Uniform Record Locator）に直接続くディジットから変換されたＩＳＵＰフォーマット番号を含む。またＧＡＰのアドレスタイプは"ported number"として符号化される。この場合、ＦＣＩ（Forward Call Indication）パラメータビットであるＭは"number translated"へセットされ、後方のスイッチに対してＮＰＤＢへのクエリがなされたことを表す。
【００２６】
移動網１０２はＦＭＣ加入者機ごとにＩＭＳＩ（International Mobile Subscriber Indentity）を含み、固定網１００と同じオペレータまたは異なるオペレータによって操作される。特に、移動網は標準の無線アクセス網ＲＡＮ１３０、例えば典型的な第３世代無線網を含む。適切な３Ｇ無線網の例として、ＵＭＴＳ／ＣＤＭＡ（Universal Mobile Telecommunication System/Code Division Multiple Access）、例えばＧＳＭ／ＥＤＧＥ（Global System for Mobile Communication/Enhanced Data-rates for Global Evolution）のＲＡＮすなわちＧＥＲＡＮが挙げられる。ＲＡＮ１３０は適切なデュアルモード無線電話ハンドセットを支援し、例えばＤＥＣＴ（Digital Enhanced Cordless Telecommunications）および例えばＧＳＭ網でローミング可能な移動コネクションが可能となるようにする。またこの実施例では、ＧＧＳＮ（Gateway General Packed Radio Service Support Node）１３２がＲＡＮ１３０へ結合され、次世代の拡張コアネットワーク１３４となっている。次世代のコアネットワーク１３４はＭＧＷ１３６および例えば時分割多重インタフェースによりＰＳＴＮ／ＰＬＭＮ１０４へ直接にコネクトする。移動網から発信されたＦＭＣ呼または移動網へのＦＭＣ着呼はＭＧＷ１３８によりＤＭＳＣ（Distributed Mobile Switching Center）１４０へコネクトする。ＤＭＳＣ１４０はＨＬＲ（Home Location Register）１４２と通信し、ＨＬＲはＦＭＣ呼をＧＭＳＣ（Gateway Mobile Switching Center）１４４へルーティングしてＰＳＴＮ／ＰＬＭＮ１０４へ出力する。
【００２７】
ＵＥ１０６は固定網１００および移動網１０２の双方で無線アクセスを支援するデュアルモードハンドセットであればどんなものであってもよい。２つのネットワークは同じテクノロジを使用していることもあるし、例えば移動網でＧＳＭが用いられ、固定網のＶｏＩＰでＩＥＥＥ８０２．１１ｂおよび／またはＢｌｕｅｔｏｏｔｈ（ＷＬＡＮ／Ｂｌｕｅｔｏｏｔｈ）が用いられるといったように、異なるテクノロジを使用していることもある。単一の個人電話番号はＵＥ１０６に関連づけられ、ＵＥ１０６は通常のように動作するＧＳＭの広域網１３０を呼び出し、さらに例えばＡＤＳＬ有線網およびＷｉＦｉホームネットワークにおけるブロードバンド１０８を介して固定網１００を呼び出すことができる。ＵＥ１０６が固定網１００内にあるときには、このＵＥ１０６に関連する個人番号へ到来した呼は、当該のＵＥによって、または付加的に、図示されていないシングルモードコードレスＷｉＦｉ／ＶｏＩＰ電話機および／またはＶｏＩＰ電話機によって応答される。ユーザはそれぞれのＵＥ１０６を固定網１００例えば居宅の周囲で持ち運ぶ必要がなく、関連する個人番号に到来した呼に応答することができる。付加的に図示されていないデスクトップＰＣによりウェブインタフェースを使用して、例えば居宅内の他のローカル電話機の呼出しへの対応をローカルハンドセットおよび／またはＵＥのいずれで行うかを選択することができる。
【００２８】
ＵＥ１０６が広域ＧＳＭ網に登録されると、関連する単一個人番号へなされた呼はホーム環境にある機器ではなく、デュアルモードハンドセットのみを呼び出す。各ＵＥ１０６は通常、固定網レジスタでの現在登録ステータスに関係なく、移動網１０２で個別の移動網でのステータスと同様に登録される。移動網１０２に対するベアラ割り当てはＵＥ１０６が固定網１００内に位置するときには不要である。各ＵＥ１０６は加入者機が固定網１００のカバーエリアに移動するとつねに固定網レジスタに登録される。
【００２９】
受信に応じて、各ＵＥ１０６は固定網レジスタに登録または登録抹消される。固定網１００に登録されると、ＵＥは固定網１００内に位置するものとして扱われる。登録抹消されると、ＵＥは固定網環境から出ているものとして扱われる。ＵＥ１０６が固定網のカバーエリアから移動して外へ出ると、ＵＥ１０６は固定網１００から登録抹消される。有利には、信号の弱まりの検出に応じて、ＵＥ１０６は固定網無線コネクションすなわちＷＬＡＮ／Ｂｌｕｅｔｏｏｔｈを介して登録抹消される。これに代えて、固定網無線コネクションを介した登録抹消が不可能である場合、ＵＥ１０６はＲＡＮ１３０を介して固定網無線コネクションの喪失に応じて登録抹消される。ＵＥ１０６が固定網の無線カバーエリアに存在せず、移動網のカバーエリアにおいても登録抹消にいたる程度の期間にわたって存在しないために登録抹消が不可能である場合、固定網１００は登録の一時休止後または呼配送誤りに応じて登録抹消を開始する。
【００３０】
移動ロケーション管理は加入者機のＭＳＩＳＤＮではなくＩＭＳＩに基づいて行われ、移動網１０２は通常のように移動登録および移動ロケーション管理を処理する。例えばＦＭＣ加入者機すなわちＵＥ１０６が他の移動網へ移動したとき、ＵＥ１０６はＭＡＰ更新ロケーションをＶＰＬＭＮ（Visited Public Land Mobile Network）のＶＬＲ（Visitor Location Register）へ送信する。ＶＰＬＭＮは加入者機の真正性を検査し、ロケーションの更新のために、ＭＡＰ更新ロケーションをＦＭＣ加入者機のホーム移動網内に位置するＨＬＲへ送信する。
【００３１】
ＦＭＣ加入者機への着呼は固定網１００の他のＦＭＣ加入者機、移動網１０２、移動網１０２の非加入者機またはＰＳＴＮ／ＰＬＭＮ１０４から発信されうる。固定網の加入者機から発信された呼は既にルーティングされているので、特別な処理は必要ない。有利には、当該のＦＭＣ着呼はＦＭＣ加入者機ごとのＣｄＰＮの所有権を有する固定網１００へつねにルーティングされる。移動網１０２から発信された呼については、ＶＭＳＣ（Visited Mobile services Switching Center）がＣｄＰＮを分析し、固定網１００によって所有されているＣｄＰＮを識別する。ＶＭＳＣは呼をＦＭＣのＣｄＰＮによって固定網１００へルーティングする。ＦＭＣのＣｄＰＮは公共のＮＰＤＢには用意されないので、ＶＭＳＣはＮＰＤＢへクエリする必要はない。またＶＭＳＣは、ＵＥ１０２を含めた移動局からの呼をＰＳＴＮ／ＰＬＭＮ１０４に着信するものとして扱うので、ＶＭＳＣは呼のルーティング前にＨＬＲにクエリする必要がない。ＰＳＴＮ／ＰＬＭＮ１０４から発信されたＵＥへの呼はＣｄＰＮを所有する固定網１００への通常の呼として扱われる。このように、ＰＳＴＮ／ＰＬＭＮ１０４の発信スイッチはＣｄＰＮを分析し、固定網１００が番号を所有していることを見出すと、これに応じて呼を固定網１００へルーティングする。発信スイッチがＮＰＤＢへクエリするか否かに関係なく、典型的には真の運搬番号がなければＣｄＰＮは公共のＮＰＤＢには用意されない。付加的に呼は加入者機の１次網から２次網へ加入者機が利用可能であるか否かにかかわらずにルーティングされる。これは例えばＵＥ１０６が固定網１００または移動網１０２のいずれかに存在するが、呼に応答しないことを選択した場合などである。
【００３２】
図２には、ＰＳＴＮ／ＰＬＭＮ１０４から発信され、ホームＩＭＳ網のＦＭＣ加入者機へ着信する呼の呼出しフローが示されている。ホームＩＭＳ網は例えば図１の固定網１００であり、同様の要素には同様の参照番号が付されている。この実施例では、Ｐ‐ＣＳＣＦ、Ｓ‐ＣＳＣＦ、Ｉ‐ＣＳＣＦおよびＳＩＰ‐ＡＳが同じプラットフォーム１１６／１２０にあるものとして扱われている。ステップ１５０で、ＰＳＴＮ／ＰＬＭＮ１０４から発信され、ＦＭＣ加入者機へ着信する呼がＭＧＷ１２２およびＭＧＣＦ１２４へルーティングされる。次にステップ１５２で、ＭＧＣＦ１２４はＩＳＵＰＩＡＭをＳＩＰ：ＩＮＶＩＴＥへ翻訳する。呼び出された番号は標準電話ナンバリングプランを用いて、例えばＥ．１６４番号をＳＩＰＵＲＬへ翻訳するＥＮＵＭサーバへクエリすることにより、翻訳される。ＳＩＰ：ＩＮＶＩＴＥは翻訳されたｔｅｌＵＲＬとともにＣＳＣＦ／ＳＩＰ‐ＡＳ１１６／１２０へ送信される。次にステップ１５４では、受信されたＳＩＰ：ＩＮＶＩＴＥメッセージに応じて、ＣＳＣＦ／ＳＩＰ‐ＡＳ１１６／１２０がＨＳＳ１１０にＦＭＣ加入者のＵＥ１０６の現在ロケーション情報をクエリする。ＣＳＣＦ／ＳＩＰ‐ＡＳ１１６／１２０は３ＧＰＰ規格にしたがってクエリ（Cx Location Query）動作をDiameter命令にマッピングする。ステップ１５６ではＨＳＳ１１０がロケーションクエリ応答をＣＳＣＦ／ＳＩＰ‐ＡＳ１１６／１２０へ返送する。ロケーションクエリ応答はＵＥ１０６が登録されているか否か、および、Ｓ‐ＣＳＣＦが既にＵＥ１０６に割り当てられたか否かを表す。
【００３３】
この実施例では、ＵＥ１０６は固定網１００に登録されているので、ステップ１５８で、ＣＳＣＦ／ＳＩＰ‐ＡＳ１１６／１２０は固定網無線コネクション、例えばＷＬＡＮ／Ｂｌｕｅｔｏｏｔｈアクセス網を介してＳＩＰ：ＩＮＶＩＴＥをＵＥ１０６へ送信する。ＣＳＣＦ／ＳＩＰ‐ＡＳ１１６／１２０は単純にＩＮＶＩＴＥをＭＧＣＦ１２４からリレーするのではないことに注意されたい。ＣＳＣＦ／ＳＩＰ‐ＡＳ１１６／１２０は別のセッションを開始するために新たなＳＩＰ：ＩＮＶＩＴＥを送信するのである。有利にはＳＩＰ‐ＡＳ１１６はＢ２ＢＵＡ（Back-To-Back User Agent）として機能し、呼を個別に良好に制御するために、呼期間の完了まで呼路にとどまる。
【００３４】
ＵＥ１０６はステップ１６０で呼出しに応答し、ＵＥ１０６がユーザへアラートを試みていることを表すＳＩＰ：１８０をＣＳＣＦ／ＳＩＰ‐ＡＳ１１６／１２０へ送信する。ほぼ同時に、ＣＳＣＦ／ＳＩＰ‐ＡＳ１１６／１２０はＳＩＰ：１８０メッセージをＭＧＣＦ１２４へ送信する。ＳＩＰ：１８０の受信に応じて、ＭＧＣＦ１２４はＩＳＵＰＡＣＭ（ISUP Address Complete Message）を発信元のＰＳＴＮ／ＰＬＭＮ１０４へ送信する。ＦＭＣ加入者機がＵＥ１０６に応答する場合には、ステップ１６２で、呼び出されたパーティが呼に応答しないことを表すＳＩＰ：２００ＯＫをＣＳＣＦ／ＳＩＰ‐ＡＳ１１６／１２０へ送信する。ＣＳＣＦ／ＳＩＰ‐ＡＳ１１６／１２０はＳＩＰ：２００ＯＫをＭＧＣＦ１２４へ送信することにより応答する。ＳＩＰ：２００ＯＫの受信に応じて、ＭＧＣＦ１２４はＩＳＵＰＡＮＭ（ISUP ANswer Message）を発信元のネットワークであるＰＳＴＮ／ＰＬＭＮ１０４へ送信する。その後ステップ１６４でＭＧＣＦ１２４はＳＩＰ：２００ＯＫメッセージの受信を肯定してＳＩＰ：ＡＣＫをＣＳＣＦ／ＳＩＰ‐ＡＳ１１６／１２０へ送信する。ＣＳＣＦ／ＳＩＰ‐ＡＳ１１６／１２０はＳＩＰ：ＡＣＫをＵＥ１０６へ送信し、ステップ１６６で呼はアクティブとなる。
【００３５】
図３には、図１の移動網１００内でローミングしているＦＭＣ加入者機すなわちＵＥ１０６へのＭＴ呼の呼出しフローが示されている。図３においても同様の要素には同様の参照番号を付してある。この実施例でも、Ｐ‐ＣＳＣＦ、Ｓ‐ＣＳＣＦ、Ｉ‐ＣＳＣＦおよびＳＩＰ‐ＡＳが同じプラットフォーム１１６／１２０にあるものとして扱われている。ステップ１７０で、ＦＭＣ加入者機へ着信する呼がＩＭＳ網に関連する固定網内または固定網外から発信される。呼はＰＳＴＮ／ＰＬＭＮ１０４からＭＧＣＦ１２４でＩＭＳ網へルーティングされる。次にステップ１７２で、ＭＧＣＦ１２４はＩＳＵＰＩＡＭをＳＩＰ：ＩＮＶＩＴＥへ翻訳する。呼び出された番号は標準電話ナンバリングプランを用いて翻訳される。ＳＩＰ：ＩＮＶＩＴＥは翻訳されたｔｅｌＵＲＬとともにＣＳＣＦ／ＳＩＰ‐ＡＳ１１６／１２０へ送信される。次にステップ１７４では、ＳＩＰ：ＩＮＶＩＴＥメッセージの受信に応じて、ＣＳＣＦ／ＳＩＰ‐ＡＳ１１６／１２０がＨＳＳ１１０にＦＭＣ加入者のＵＥ１０６の現在ロケーション情報をクエリする。クエリ（Cx Location Query）動作は３ＧＰＰ規格にしたがってDiameter命令にマッピングされる。ステップ１７６ではＨＳＳ１１０が、ＦＭＣ加入者機の公共ＩＤが登録されていないことを表すロケーションクエリ応答をＣＳＣＦ／ＳＩＰ‐ＡＳ１１６／１２０へ返送する。
【００３６】
ＣＳＣＦ／ＳＩＰ‐ＡＳ１１６／１２０は、ステップ１７８で、関連するＬＲＮを識別するＣｄＰＮを用いて内部の特別ルーティングテーブルにクエリする。その結果、ＣＳＣＦ／ＳＩＰ‐ＡＳ１１６／１２０は新たなＳＩＰ：ＩＮＶＩＴＥをステップ１８０でＭＧＣＦ１２４へ送信する。ＣＳＣＦ／ＳＩＰ‐ＡＳ１１６／１２０はＩＮＶＩＴＥの要求ＵＲＬの"ｒｎ"フィールドにＬＲＮをセットし、"ｎｐｄｉ"に"ｙｅｓ"をセットする。前述したように、ＳＩＰ‐ＡＳ１１６はＢ２ＢＵＡとして機能し、イベントのトリガの際に呼を個別に良好に制御するために、呼期間の完了まで呼路にとどまる。続いてステップ１８２でＭＧＣＦ１２４はＳＩＰ：ＩＮＶＩＴＥを相応のＩＳＵＰＩＡＭとして翻訳する。このときＣｄＰＮパラメータにはＬＲＮがセットされ、ＧＡＰにはＣｄＰＮがセットされ、ＧＡＰのアドレスタイプは"ported number"として符号化される。ＦＣＩパラメータのビットＭは後続のスイッチに対してＮＰＤＢへのクエリがなされたことを表す"number translated"へセットされる。続いてＭＧＣＦ１２４はＬＲＮを用いて呼をＧＭＳＣ１４４へルーティングする。ＧＭＳＣ１４４はＣｄＰＮを自身のＬＲＮであると認識する。この場合ＧＭＳＣ１４４は、当該のＩＡＭを、ＧＭＳＣに関連するＰＬＭＮへ運搬された移動加入者機に対して受信されたＩＡＭと同様に扱う。このようにしてＧＭＳＣ１４４は、ＧＡＰの"ported number"を用いて、ＭＡＰＳＲＩ（MAP Send Routing Info）を送信し、ＨＬＲ１４２にクエリする。ＨＬＲ１４２はＭＡＰＰＲＮ（MAP Provide Roaming Number）を、ＵＥ１０６の現在登録されている場所のＶＬＲ１４０へ送信する。ＶＬＲ１４０はＦＭＣ移動網または他の移動網のいずれに位置していてもよいことに注意されたい。ステップ１８４でＶＬＲ１４０はＭＳＲＮ（Mobile Subscriber Roaming Number）をＰＲＮＡＣＫとしてＨＬＲ１４２へ返送する。ＨＬＲ１４２はＭＳＲＮをＳＲＩＡＣＫとしてＧＭＳＣ１４４へ転送する。ステップ１８６でＧＳＭＣ１４４はＨＬＲ１４２のクエリから得られた加入者のＭＳＲＮを用いて呼を適切なＶＭＳＣへルーティングする。ＶＭＳＣはＵＥ１０６をセットアップメッセージにより呼び出す。
【００３７】
ＵＥ１０６はステップ１８８でＶＭＳＣへアラートを送信することにより応答する。アラートの受信に応じて、ＶＭＳＣはＩＳＵＰＡＣＭをＧＭＳＣ１４４へ送信し、ＧＭＳＣ１４４はこれをＭＧＣＦ１２４へ転送する。ＭＧＣＦ１２４は、ステップ１９０で、ＵＥ１０６へ到来した呼についてユーザにアラートを試みていることを表すＳＩＰ：１８０をＣＳＣＦ／ＳＩＰ‐ＡＳ１１６／１２０へ送信する。ＣＳＣＦ／ＳＩＰ‐ＡＳ１１６／１２０はＳＩＰ：１８０を第１のＳＩＰセッションでＭＧＣＦ１２４へ送信する。ＭＧＣＦ１２４はさらにＩＳＵＰＡＣＭを発信元のＰＳＴＮ／ＰＬＭＮ１０４へ送信する。ＵＥ１０６がステップ１９２で応答する場合には、ＵＥ１０６は呼び出されたパーティが呼に応答したことを表すコネクトメッセージをＣＳＣＦ／ＳＩＰ‐ＡＳ１１６／１２０へ送信する。またＶＭＳＣはＡＮＭメッセージをＧＭＳＣ１４４へ送信し、ＧＭＳＣ１４４はこれをＭＧＣＦ１２４へ転送する。ＭＧＣＦ１２４は、ステップ１９４で、要求が遂げられたことを表すＳＩＰ：２００ＯＫをＣＳＣＦ／ＳＩＰ‐ＡＳ１１６／１２０へ送信する。ＣＳＣＦ／ＳＩＰ‐ＡＳ１１６／１２０はＳＩＰ：２００ＯＫをＭＧＣＦ１２４へ第１のＳＩＰセッションで送信する。ＳＩＰ：２００ＯＫの受信に応じて、ＭＧＣＦ１２４はＩＳＵＰＡＮＭを発信元のネットワークであるＰＳＴＮ／ＰＬＭＮ１０４へ送信する。ＭＧＣＦ１２４はステップ１９６でＳＩＰ：２００ＯＫメッセージの受信を肯定し、ＳＩＰ：ＡＣＫをＣＳＣＦ／ＳＩＰ‐ＡＳ１１６／１２０へ送信する。ＣＳＣＦ／ＳＩＰ‐ＡＳ１１６／１２０はＳＩＰ：２００ＯＫメッセージを第１のＳＩＰセッションで受信したことを肯定するＳＩＰ：ＡＣＫをＭＧＣＦ１２４へ送信する。
【００３８】
有利な実施例では、移動網１０２は１次ホームネットワーク、固定網１００は２次ホームネットワークとなっている。この実施例では移動網１０２はＦＭＣ加入者番号を所有しており、ＦＭＣのＵＥ１０６への着呼はまず移動網１０２へルーティングされる。その際に、ＵＥ１０６が移動網１０２で利用可能でない場合には、つねに移動網１０２はＦＭＣの呼を固定網１００へルーティングする。この実施例ではＩＮサービスはＬＲＮを有するＩＡＭメッセージを有し、ＬＲＮは固定網１００におけるスイッチを表す。
【００３９】
本発明の適用分野はＦＭＣにおける２つのネットワーク、すなわち固定網１００および移動網１０２に限定されないことに注意されたい。有利な実施例では、１次ホームネットワークおよび２次ホームネットワークが同じタイプのもの、つまり両方とも固定網であったり両方とも移動網であったりしてもよい。またＬＲＮは番号ポータビリティに関連せずに単に特定の２次網およびその内部の特定のエレメントを表すルーティング番号であってもよい。この場合、１次網から２次網へ運搬される呼は番号ポータビリティに使用されるものとは異なる取り決めを利用していてもよい。
【００４０】
有利には、本発明はタイプに関わらず、ＦＭＣに適する固定網および／または移動網にワールドワイドに適用可能である。例えば、ＧＳＭに代えて、移動網は他の適切なタイプの無線網、例えばＡＮＳＩ−４１網であってもよい。また、番号ポータビリティは加入者番号が他のネットワークから固定網へ運搬されるケースであればいずれの場合にも適用可能である。特に、移動番号ポータビリティＭＮＰは、加入者機がサービスプロバイダを変更したとき、位置を変更したとき、またはサービスを変更したときのいずれの場合にも加入者機にＤＮを取得させる。加入者番号が運搬された番号である場合、ドナー網はＮＰＤＢにクエリし、呼を固定網へルーティングする。加入者番号の範囲内のＤＮが運搬されて外へ出た場合には、呼は固定網へルーティングされ、固定網がドナー網として機能する。固定網がレジスタ内に登録エントリを見つけられなかった場合には、固定網は公共のＮＰＤＢにクエリし、相応の呼を返送されたＬＲＮに基づいてルーティングする。これら全てのプロセスはネットワークオペレーションへの影響なしに行われる。
【００４１】
本発明を有利な実施例に則して説明したが、当該分野の技術者には本発明の範囲内でこれを種々に修正できることは明らかなはずである。こうした変更および修正は全て本発明の範囲に含まれる。実施例および図は説明のための例示であって、本発明を限定する意図にないことも理解されたい。
【図面の簡単な説明】
【００４２】
【図１】ＦＭＣ網のアーキテクチャを示す図である。
【図２】ＩＭＳホームネットワーク内のＦＭＣ加入者機へのＭＴ呼の呼出しフローを示す図である。
【図３】ＧＳＭ網内でローミングしているＦＭＣ加入者機へのＭＴ呼の呼出しフローを示す図である。
【図１】
2008515282.tif 000003
【図２】
2008515282.tif 000004
【図３】
2008515282.tif 000005
【国際調査報告】
2008515282.tif 000006
2008515282.tif 000007